(57)【要約】      （修正有）【課題】歯ブラシが置けるうがい用コップ構造を提供する。【解決手段】うがい用コップ構造は、上端内部の片側に第一開け口１１が設置されており、第一開け口１１から本体１下端まで延在する第一収容空間１２が設置され、また底部１２０を有する本体１；本体１下端の内部に設置された第一収容空間１２の底部１２０に隣接し、第二開け口１３から本体１上端まで延在する第二収容空間１４が設置され、また底部１４０を有する第二開け口１３；第二開け口１３の第二収容空間１４に設置されている少なくとも一つの透孔１４１；本体１の第一開け口１１に本体１を逆さまにすることにより傾斜を呈し、三点支持構造が形成されるように傾斜凹面が設置されている。この構造により、有効に使用の利便性を引き上げまた歯ブラシの収納箇所を別途探す必要がなくなる。【選択図】図１
0003227933.tif 000002
【実用新案登録請求の範囲】
【請求項１】
上端内部の片側に第一開け口が設置されており、当該第一開け口から本体下端まで延在する第一収容空間が設置されており且つ底部を有する本体と、
本体下端の内部に設置されておりまた第一収容空間の底部に隣接し、当該第二開け口から本体上端まで延在する第二収容空間が設置されており且つ底部を有する第二開け口と、を含むことを特徴とする歯ブラシが置けるうがい用コップ構造。
【請求項２】
前記第二開け口の第二収容空間に少なくとも一つの透孔が設置されていることを特徴とする請求項1に記載の歯ブラシが置けるうがい用コップ構造。
【請求項３】
前記本体の第一開け口に本体を逆さまにすることにより傾斜を呈する傾斜凹面が設置されていることを特徴とする請求項1または請求項2に記載の歯ブラシが置けるうがい用コップ構造。
【請求項４】
本体の第一開け口に傾斜凹面が設置されまたそれにより両側に二つの支点が形成され且つ前端に一つの支点が形成され、それにより当該本体を逆さまにして三点支持構造が形成されることを特徴とする請求項3に記載の歯ブラシが置けるうがい用コップ構造。
【考案の詳細な説明】
【技術分野】
【０００１】
本考案はうがい用コップ構造に関するものであり、特に本体上端の内部の片側に第一開け口及び延在する第一収容空間が設置されており、また本体下端の内部に第二開け口及び延在する第二収容空間と透孔が設置されている、歯ブラシが置けるうがい用コップ構造を指すものである。
【背景技術】
【０００２】
従来の歯磨き道具の場合には、うがい用コップ及び歯ブラシにほかならず、当該うがい用コップは水を入れるために使用されるだけであって、使用者は歯を磨き終わった後、内部に残留した水滴を流出させるために、うがい用コップを逆さまにし、それにより内部の水滴を流出され、内部を乾燥させて衛生を保っていた。しかしながら従来のうがい用コップは歯ブラシを固定する構造を提供していないため、使用者が別途フックを見つけ、使用し終わった歯ブラシを収納するようにしなければならず、それは使用上の不便さをもたらすだけでなく、うがい用コップ及び歯ブラシがばらばらになり、また時々歯ブラシを見つからなかったりまたは間違って他人の歯ブラシを持って行ったりすることがしばしばあり、それにより実用性は大きく低下し、それはこの技術分野の技術人員及び消費者が極力突破しようとするところである。
【考案の概要】
【考案が解決しようとする課題】
【０００３】
前記既存の技術の不十分なところを解決するため、本考案の主要な目的は、歯ブラシが置けるうがい用コップ構造を提供することであり、本体上端に第一開け口及び延在する第一収容空間が設置されており、本体下端に第二開け口及び延在する第二収容空間と透孔が設置されており、それにより既存技術における困難を克服しようとする。
【０００４】
本考案の次の目的は、歯ブラシが置けるうがい用コップ構造を提供することであり、本体上端に第一開け口の第一収容空間を有することにより水を入れてうがいをし、本体を逆さまにして下端に第二開け口の第二収容空間を有することにより歯ブラシを収納する。
【０００５】
本考案のほかの目的は、歯ブラシが置けるうがい用コップ構造を提供することであり、有効に使用の利便性を引き上げまた別途歯ブラシの収納箇所を探す必要がない。
【０００６】
本考案の解決しようとする問題は、従来の歯磨き道具として、うがい用コップ及び歯ブラシを使うのが一般的で、歯を磨き終わった後、内部に残留した水滴を流出させるため、いずれもうがい用コップを逆さまにし、それにより内部の水滴を流出させ、内部を乾燥させまた衛生を保つが、しかしながら従来品のうがい用コップは歯ブラシを固定する構造を提供せず、使用者は別途フックを見つけて、歯ブラシを収納しなければならず、それは使用上の不便さをもたらすだけでなく、うがい用コップ及び歯ブラシはばらばらになり、時々歯ブラシを見つからなかったりまたは間違って他人の歯ブラシを持って行ったりすることがしばしばあり、それにより実用性は大きく低下する。
【０００７】
問題を解決する技術手段としては、前記目的を達成するために、本考案はブラシが置けるうがい用コップ構造を提供し、それは
上端内部の片側に第一開け口が設置されており、当該第一開け口から本体下端まで延在する第一収容空間が設置されておりまた底部を有する本体と、
本体下端の内部に設置されておりまた第一収容空間の底部に隣接し、当該第二開け口から本体上端まで延在する第二収容空間が設置されておりまた底部を有する第二開け口と、を含む。
【０００８】
本考案の当該第二開け口の第二収容空間に少なくとも一つの透孔が設置されている。
【０００９】
本考案の当該本体の第一開け口に本体を逆さまにすることにより傾斜を呈する傾斜凹面が設置されている。
【００１０】
本考案の当該本体の第一開け口に傾斜凹面が設置されまたそれにより両側に二つの支点が形成されまた前端に一つの支点が形成され、それにより当該本体を逆さまにして三点支持構造が形成される。
【００１１】
背景技術の効果に照合してみると、この構造により、本考案は本体上端の内部の片側に第一開け口及び延在する第一収容空間を設置することができ、また本体下端の内部に第二開け口及び延在する第二収容空間と透孔を設置することができ、さらに本体上端に第一開け口の第一収容空間を有することを利用して水を入れてうがいをし、本体を逆さまにして下端に第二開け口の第二収容空間を有することを利用して歯ブラシを収納し、有効に使用の利便性を引き上げまた歯ブラシの収納箇所を探す必要がなくなり、進歩、実用と使用者のニーズに合致し、利益が増加することが明らかである。
【図面の簡単な説明】
【００１２】
【図１】本考案の立体組立図である。
【図２】本考案の組立断面図である。
【図３】本考案の本体の第一収容空間における、水を入れる実施例図である。
【図４】本考案の本体の第二収容空間に歯ブラシが挿入されている実施例図である。
【図５】本考案の本体の第一開け口に傾斜凹面が設置されている実施例図である。
【図６】本考案の図5において本体を逆さまにする実施例図である。
【考案を実施するための形態】
【００１３】
本考案の特徴、内容と長所及び達成できる効果について審査員に理解させるために、本考案について添付図に合わせて、また実施例の表現の形式を詳細に下記のように説明し、文章の内容のなかで使用されている図面は、その主旨は明細書を模式化しまた補足するために使用され、必ずしも本考案の実施後の実際の比例と精確な配置ではないので、添付される図面の比例と配置関係により本考案における実施上の特許請求の範囲を制限すべきでなく、併せて説明する。
【００１４】
図1、図2に示すのは、本考案の立体組立図、本考案の組立断面図であり、本考案の歯ブラシが置けるうがい用コップ構造は好適な実施例において本体1、第二開け口13が含まれている。
【００１５】
前記本体1は、上端内部の片側に第一開け口11が設置されており、当該第一開け口11から本体1下端まで延在する第一収容空間12が設置され且つ底部120を有する。
【００１６】
前記第二開け口13は本体1下端の内部に設置されまた第一収容空間12の底部120に隣接し、当該第二開け口13は本体1上端に延在し第二収容空間14が設置され且つ底部140を有し、それにより第二収容空間14において換気しやすくなり、当該第二開け口13の第二収容空間14に少なくとも一つの透孔141が設置される。
【００１７】
図3及び図4に示すのは、本考案の本体の第一収容空間に水を入れる実施例図、本考案の本体の第二収容空間に歯ブラシを挿入する実施例図であり、本考案は使用時に、本体1の第一開け口11が上端へ向ける時に、底部120を有する第一収容空間12は、水2を満たすことによりうがいと歯磨きに使用（図3に示すように）させることができ、使用し終わった後に、本体1を逆さまにしてまた本体1下端に設置された第二開け口13を上に向け、このときに、底部140を有する第二収容空間14は、歯ブラシ3を挿入するように提供され、第二収容空間14に設置されている少なくとも一つの透孔141は換気（図4に示す）するように提供されている。
【００１８】
図5、図6に示すのは、本考案の本体の第一開け口に傾斜凹面が設置されている実施例図、本考案の図5において本体を逆さまにする実施例図であり、本考案における当該本体1の第一開け口11に本体1を逆さまにする、傾斜を呈する傾斜凹面111が別途設置され、当該傾斜凹面111の両側及び前端にそれぞれ二つの支点1111、1111及び一つの支点1112が形成され、それにより本体1を逆さまにすることにより強固な三点支持構造（図5に示すように）が形形され、使用し終わった時、本体1を逆さまにして本体1下端に設置されている第二開け口13を上にむけて、本体1の第一開け口11に傾斜凹面111が設置されているので、当該本体1を逆さまにするとき、当該本体1が傾斜状を呈し、第一収容空間14の底部140は、同様に本体1が傾斜することにより底部140が傾斜面を形成し、それにより水を流出させ、当該傾斜凹面111の両側に形成された二つの支点1111、1111及び前端に形成された支点1112は、本体1を逆さまにして強固で直立した三点支持構造が形成される。（図6に示すように）。
【００１９】
この構造により、本考案において本体1上端内部の片側に第一開け口11及び延在する第一収容空間12が設置され、また本体1下端の内部に第二開け口13及び延在する第二収容空間14と透孔141が設置され、さらに本体1上端に第一開け口11の第一収容空間12を有することにより水2を入れてうがいをすることを達成させ、本体1を逆さまにして下端に第二開け口13の第二収容空間14を有することにより歯ブラシ3を収納し、有効に使用の利便性を引き上げまた歯ブラシ3の収納箇所を別途探す必要がなくなり、進歩、実用と使用者のニーズに合致し、利益が増加することが明らかである。
【００２０】
前記の内容からわかるように、本考案は従来の技術構造の限界を突破しようとするもとで、進歩しようとする効果を確実に達成し、また当該当業者が容易に想到できるものではなく、また、本考案は申請する前に開示しておらず、その進歩性、実用性は特許出願要件に合致し、法により特許申請を提出し、本件の特許出願に対して特許権を取得できることを許可していただくよう貴局にお願い申し上げます。それにより考案創出を促進するよう、便宜を図らせて頂きます。
【００２１】
以上述べた実施例は本考案の技術思想及び特徴を説明したにすぎず、その目的は当業者が本考案の内容について理解し、且つそれにより実施してもらうことであり、それにより本考案の特許請求の範囲を制限するものではなく、即ちすべて本考案が掲げている精神により行なった均等な変化または修飾は、依然本考案の特許請求の範囲に含まれている。
【符号の説明】
【００２２】
1...本体
11...第一開け口
111...傾斜凹面
1111...支点
1112...支点
12...第一収容空間
120...底部
13...第二開け口
14...第二収容空間
140...底部
141...透孔
2...水
3...歯ブラシ
【図１】
0003227933.tif 000003
【図２】
0003227933.tif 000004
【図３】
0003227933.tif 000005
【図４】
0003227933.tif 000006
【図５】
0003227933.tif 000007
【図６】
0003227933.tif 000008